(57)【要約】【目的】  外部光から表示パネルを確実かつ簡便に保護することが可能な三次元表示装置を提供することを目的とする。【解決手段】  立体画像信号に基づいて、上記立体画像の表示停止を判別し、あるいは画像表示パネルの電源遮断を検出する判別器と、表示停止又は電源遮断と判別された場合に、表示制御パネルの全ての微小開口部を閉じる表示制御パネルの全ての微小開口部を閉じる制御パネルコントローラと、を有している。または、立体画像信号に基づいて平面画像要素ごとに非表示であるかを判別する非表示判別器と、非表示判別器において非表示であると判別された平面画像要素に対応する微小開口部を閉じる制御パネルコントローラと、を有している。【選択図】  図１１
2006145715.tif 000002
【特許請求の範囲】
【請求項１】
異なる視点から見た対象物の複数の平面画像の各々を分割した複数の平面画像要素を含む立体画像信号に基づいて表示をなす画像表示パネルと、前記平面画像要素に対応する微小開口部を有する表示制御パネルとからなり、前記微小開口部を介して前記平面画像要素を選択的に透過させることにより立体画像の表示をなすマルチプレックス・ピンホール・スキャニング型インテグラル・フォトグラフィ方式の立体画像表示装置であって、
前記立体画像信号に基づいて、前記立体画像の表示停止を判別する表示停止判別器と、
前記表示停止判別器において表示停止であると判別された場合に、前記表示制御パネルの全ての微小開口部を閉じる制御パネルコントローラと、を有することを特徴とする立体画像表示装置。
【請求項２】
異なる視点から見た対象物の複数の平面画像の各々を分割した複数の平面画像要素を含む立体画像信号に基づいて表示をなす画像表示パネルと、前記平面画像要素に対応する微小開口部を有する表示制御パネルとからなり、前記微小開口部を介して前記平面画像要素を選択的に透過させることにより立体画像表示をなすマルチプレックス・ピンホール・スキャニング型インテグラル・フォトグラフィ方式の立体画像表示装置であって、
前記画像表示パネルの電源遮断を検出する検出器と、
前記電源遮断を検出した場合に、前記表示制御パネルの全ての微小開口部を閉じる制御パネルコントローラと、を有することを特徴とする立体画像表示装置。
【請求項３】
前記立体画像信号に基づいて前記立体画像の表示停止を判別する表示停止判別器をさらに有し、前記制御パネルコントローラは、前記表示停止判別器において表示停止であると判別された場合に、前記表示制御パネルの全ての微小開口部を閉じることを特徴とする請求項２に記載の立体画像表示装置。
【請求項４】
異なる視点から見た対象物の複数の平面画像の各々を分割した複数の平面画像要素を含む立体画像信号に基づいて表示をなす画像表示パネルと、前記平面画像要素に対応する微小開口部を有する表示制御パネルとからなり、前記微小開口部を介して前記平面画像要素を選択的に透過させることにより立体画像の表示をなすマルチプレックス・ピンホール・スキャニング型インテグラル・フォトグラフィ方式の立体画像表示装置であって、
前記立体画像信号に基づいて前記平面画像要素ごとに非表示であるかを判別する非表示判別器と、
前記非表示判別器において非表示であると判別された平面画像要素に対応する微小開口部を閉じる制御パネルコントローラと、を有することを特徴とする立体画像表示装置。
【請求項５】
前記表示停止判別器は、前記画像表示パネル及び前記立体画像のアスペクト比に基づいて前記画像表示パネルの非表示領域を判別し、前記制御パネルコントローラは、前記非表示領域に対応する微小開口部を閉じることを特徴とする請求項４に記載の立体画像表示装置。
【請求項６】
前記立体画像表示の停止を判別する表示停止判別器をさらに有し、前記制御パネルコントローラは、前記立体画像表示の停止であると判別された場合に、前記表示制御パネルの全ての微小開口部を閉じることを特徴とする請求項４に記載の立体画像表示装置。
【発明の詳細な説明】
【技術分野】
【０００１】
本発明は、三次元表示装置、特に、インテグラル・フォトグラフィ方式の三次元表示装置に関する。
【背景技術】
【０００２】
高精細度テレビ等に代表される放送技術や映像技術の進展に伴い、立体的に映像表示を行う三次元表示方式及び装置の研究開発が近年活発に進められている。
【０００３】
このような三次元（立体）映像の表示方法として、インテグラル・フォトグラフィ（Integral Photography:ＩＰ）が知られている。インテグラル・フォトグラフィを利用した立体表示装置としては、例えば、画像表示パネル及び表示制御パネルからなる三次元画像表示装置がある（例えば、特許文献１〜３参照）。このような三次元表示装置においては、表示制御パネルは多数の微小透光部を有し、その背面に該微小透光部に対応して小画像を表示する多数の画像表示部を有する画像表示パネルが設けられている。
【０００４】
かかる表示装置において三次元表示を行う場合、微小透光部（微小開口部）の開口位置を移動するとともに、該微小開口部から見える小画像（平面画像要素）を該微小開口部の移動に合わせて更新させる。
【０００５】
従来の表示装置においては、装置外部からの光は表示面に一様に照射される。しかしながら、上記三次元表示装置においては、開いている微小開口部を介して部分的、局所的に外部光が表示パネルに照射されるので、微小開口部を介した外部光の跡が表示パネルに不均一に残ってしまい表示むらの原因となる。従来、かかる外部光から三次元表示装置の表示パネルを保護するための技術の開発が強く望まれている。
【特許文献１】特許第２７６１８２９号公報（第３頁、図１）
【特許文献２】特開平７−５６１１２号公報（第４頁、図１）
【特許文献３】特開平９−７３１４３号公報（第５頁、図１）
【発明の開示】
【発明が解決しようとする課題】
【０００６】
本発明が解決しようとする課題には、上記した問題が１例として挙げられる。本発明は、上述した問題点に鑑みてなされたものであり、本発明は、外部光から表示パネルを確実かつ簡便に保護することが可能な三次元表示装置を提供することを目的とする。
【課題を解決するための手段】
【０００７】
本発明による立体画像表示装置は、異なる視点から見た対象物の複数の平面画像の各々を分割した複数の平面画像要素を含む立体画像信号に基づいて表示をなす画像表示パネルと、平面画像要素に対応する微小開口部を有する表示制御パネルとからなり、上記微小開口部を介して平面画像要素を選択的に透過させることにより立体画像の表示をなすマルチプレックス・ピンホール・スキャニング型インテグラル・フォトグラフィ方式の立体画像表示装置であって、立体画像信号に基づいて、上記立体画像の表示停止を判別する表示停止判別器と、上記表示停止判別器において表示停止であると判別された場合に、表示制御パネルの全ての微小開口部を閉じる制御パネルコントローラと、を有することを特徴としている。
【０００８】
また、本発明による立体画像表示装置は、異なる視点から見た対象物の複数の平面画像の各々を分割した複数の平面画像要素を含む立体画像信号に基づいて表示をなす画像表示パネルと、平面画像要素に対応する微小開口部を有する表示制御パネルとからなり、上記微小開口部を介して平面画像要素を選択的に透過させることにより立体画像表示をなすマルチプレックス・ピンホール・スキャニング型インテグラル・フォトグラフィ方式の立体画像表示装置であって、上記画像表示パネルの電源遮断を検出する検出器と、電源遮断を検出した場合に、上記表示制御パネルの全ての微小開口部を閉じる制御パネルコントローラと、を有することを特徴としている。
【０００９】
また、本発明による立体画像表示装置は、異なる視点から見た対象物の複数の平面画像の各々を分割した複数の平面画像要素を含む立体画像信号に基づいて表示をなす画像表示パネルと、平面画像要素に対応する微小開口部を有する表示制御パネルとからなり、上記微小開口部を介して平面画像要素を選択的に透過させることにより立体画像の表示をなすマルチプレックス・ピンホール・スキャニング型インテグラル・フォトグラフィ方式の立体画像表示装置であって、上記立体画像信号に基づいて平面画像要素ごとに非表示であるかを判別する非表示判別器と、非表示判別器において非表示であると判別された平面画像要素に対応する微小開口部を閉じる制御パネルコントローラと、を有することを特徴としている。
【発明を実施するための最良の形態】
【００１０】
以下、本発明の実施例について図面を参照しつつ詳細に説明する。なお、以下に示す実施例において、等価な構成要素には同一の参照符を付している。
【実施例１】
【００１１】
図１は、本発明の実施例１である三次元表示装置１０の構成を模式的に示すブロック図である。
【００１２】
この三次元表示装置１０は、マルチプレックス・ピンホール・スキャニング（Multiplex Pinhole Scanning）型インテグラル・フォトグラフィ（ＭＰＳ−ＩＰ）方式の三次元表示装置である。三次元表示装置１０は、画像表示パネル１１、表示制御パネル１２、及び画像表示パネル１１を駆動する表示パネル・行ドライバ（以下、ＤＰ・行ドライバという。）１５及び表示パネル・列ドライバ（以下、ＤＰ・列ドライバという。）１７、表示制御パネル１２を駆動する制御パネル・行ドライバ（以下、ＣＰ・行ドライバという。）２１及び制御パネル・列ドライバ（以下、ＣＰ・列ドライバという。）２３を有している。
【００１３】
画像表示パネル１１は、行信号線Ａ１〜Ａｍを介してＤＰ・行ドライバ１５により、また、列信号線Ｂ１〜Ｂｎを介してＤＰ・列ドライバ１７により駆動される。なお、行信号線Ａ１〜Ａｍ及び列信号線Ｂ１〜Ｂｎは後述する立体画像要素に対応している。従って、行信号線Ａ１〜Ａｍの各々は、画像表示パネル１１の１つ以上の走査線に対応し、列信号線Ｂ１〜Ｂｎの各々は画像表示パネル１１の１つ以上のデータ線に対応している。
【００１４】
表示制御パネル１２は、行信号線Ｃ１〜Ｃｍを介してＣＰ・行ドライバ２１により、また、列信号線Ｄ１〜Ｄｎを介してＣＰ・列ドライバ２３により駆動される。
【００１５】
また、三次元表示装置１０には、上記ドライバ１５、１７を制御して画像表示に関する制御を行う表示パネルコントローラ２５、及び上記ドライバ２１及び２３を制御する制御パネルコントローラ２５Ａが設けられている。
【００１６】
表示パネルコントローラ２５は、三次元表示装置１０の入力端１４から入力された３Ｄ画像データ信号（ビデオデータ信号）ＶＳに基づいて画像表示パネル１１の制御をなす。ＤＰ・列ドライバ１７は、入力端１４から入力された画像データが書き込まれるメモリである画像ＲＡＭ（ビデオＲＡＭ）１８を含む。また、ビデオＲＡＭ１８へのデータの書き込み、及びＲＡＭ１８からのデータの読み出し等のビデオＲＡＭ１８の制御は表示パネルコントローラ２５によってなされる。制御パネルコントローラ２５Ａは表示パネルコントローラ２５と相互接続され、三次元表示コントローラとしての機能を有する。すなわち、表示パネルコントローラ２５及び制御パネルコントローラ２５Ａの協働により画像表示パネル１１及び表示制御パネル１２間の同期、タイミング制御などを含む三次元表示装置１０全体の制御がなされる。
【００１７】
図２に示すように、画像表示パネル１１においては、ｍ行ｎ列のマトリクス状に微小な立体画像が表示される領域が配されている。以下においては、かかる微小な立体画像表示領域を３Ｄ表示要素（又は、単に３Ｄ要素）と称する。画像表示パネル１１は、図中に示すように、ｘ方向（走査方向）を水平方向、ｙ方向を垂直方向として視聴者が視聴するように設置される。以下においては、画像表示パネル１１が有機エレクトロルミネセンス（ＥＬ）素子を用いたモノクロームＥＬ表示パネルにより構成されている場合を例に説明する。ＥＬ素子は高速動作が可能であるため、特に３Ｄ表示パネルに適している。なお、他の種類の表示素子を用いた場合、及びＲＧＢ表示素子を用いたカラー表示パネル等にも容易に適用が可能である。
【００１８】
図３は、画像表示パネル１１の任意の第ｊ行第ｋ列（ｊ＝１〜ｍ、ｋ＝１〜ｎ）の３Ｄ表示要素Ｑjkの構成を模式的に示している。図３に示すように、画像表示パネル１１の任意の第ｊ行第ｋ列（ｊ＝１〜ｍ、ｋ＝１〜ｎ）の３Ｄ表示要素Ｑjkは、さらに複数の平面表示要素（２Ｄ表示要素）から構成されている。以下においては、１つの３Ｄ表示要素が、水平方向（ｘ方向）において区画された８個の２Ｄ表示要素Ｐ１−Ｐ８から構成されている場合を例に説明する。なお、以下において、添え字”ｊｋ”等について、記載の明確さのため、”ｊ，ｋ”等のようにも示す場合がある。
【００１９】
２Ｄ表示要素Ｐ１−Ｐ８は行信号線Ａｊに接続されている。また、２Ｄ表示要素Ｐｉ（ｉ＝１〜８）は列信号線Ｂkiに接続されている。画像表示パネル１１は、複数のＥＬ素子をｘｙ平面内に配置した構成を有し、各ＥＬ素子は走査線及びデータ線が交差する位置に配されている。２Ｄ表示要素Ｐｉの各々には微小な平面画像が表示される。従って、行信号線Ａｊ（Ｊ＝１〜ｍ）は、画像表示パネル１１における１つ以上の走査線からなる信号線群であり、また、列信号線Ｂki（ｉ＝１〜８）は１つ以上のデータ線からなる信号線群であり、列信号線Ｂｋ（ｋ＝１〜ｎ）は複数のデータ線からなる信号線群である。
【００２０】
図４は、表示制御パネル１２の構成を模式的に示す図であり、画像表示パネル１１も併せて示している。表示制御パネル１２は、画像表示パネル１１の３Ｄ表示要素Ｑjk（ｊ＝１〜ｍ、ｋ＝１〜ｎ）に対応して配された３Ｄ制御要素Ｔjk（ｊ＝１〜ｍ、ｋ＝１〜ｎ）から構成されている。そして、表示制御パネル１２は、３Ｄ制御要素Ｔjkが３Ｄ表示要素Ｑjkに対応するようにして画像表示パネル１１の前面に取り付けられている。すなわち、画像表示パネル１１及び表示制御パネル１２を組み合わせてディスプレイ装置が構成される。なお、以下の説明においては、かかるディスプレイ装置を３Ｄディスプレイ（装置）と称する。
【００２１】
図５は、上記した３Ｄ制御要素Ｔjkの詳細な構成を模式的に示す図である。表示制御パネル１２の３Ｄ制御要素Ｔjk（ｊ＝１〜ｍ、ｋ＝１〜ｎ）は、微小な透光部（以下、微小開口部という）であるスリットＳ１〜Ｓ８を有している。スリットＳ１〜Ｓ８は、画像表示パネル１１の２Ｄ表示要素Ｐ１−Ｐ８に対応し、垂直方向（ｙ方向）を長辺とする長方形状を有するスリット開口である。
【００２２】
なお、本実施例においては、微小開口部としてスリットを用いて３Ｄ表示を行う場合を例に説明するが、ピンホール、マイクロレンズ等を微小開口部として配した表示制御パネルを用いて３Ｄ表示を行うこともできる。
【００２３】
図６は、図５に示す３Ｄ制御要素Ｔjkの線Ｗ−Ｗに関する断面図である。３Ｄ制御要素Ｔjk（ｊ＝１〜ｍ、ｋ＝１〜ｎ）には、スリットＳ１〜Ｓ８を開閉するシャッタＳＨ１〜ＳＨ８が設けられている。また、３Ｄ制御要素Ｔjkには、シャッタＳＨｉ（ｉ＝１〜８）の各々を駆動する圧電素子などのアクチュエータ（図示しない）に結合されている。当該アクチュエータは、行信号線Ｃｊ及び列信号線Ｄkiに接続され、これらの信号線を介してＣＰ・行ドライバ２１及びＣＰ・列ドライバ２３から供給されるシャッタ制御信号に基づいて、シャッタＳＨｉ（ｉ＝１〜８）を駆動するように構成されている。また、図に示すように、列信号線Ｄｋは、複数の列信号線Ｄki（ｉ＝１〜８）からなる信号線群である。
【００２４】
本実施例においては、３Ｄ制御要素Ｔjkの微小開口部（スリット）をメカニカルシャッタを用いて実現する場合を例に説明するが、他の方式の微小開口部を用いても良い。例えば、微小開口部の開閉を電気的に行うことが可能な液晶パネル等を用いることもできる。
【００２５】
次に、図面を参照して３Ｄ表示の原理及び駆動動作について説明する。図７は、１つの３Ｄ画像を８つの２Ｄ画像で表示する場合における３Ｄ表示の原理を模式的に示す図である。表示制御パネル１２の３Ｄ表示要素Ｑjkには、当該３Ｄ画像の要素である８つの２Ｄ画像要素が表示される。
【００２６】
より詳細には、表示しようとする対象物を異なる８方向（８視点）から見た場合の画像（２Ｄ画像）を用意する。これら８つの２Ｄ画像の各々は、３Ｄ表示要素Ｑjkに対応する大きさの２Ｄ画像Ｖjkに分割され、さらに、当該分割された２Ｄ画像（２Ｄ分割画像）Ｖjk(p)は、微小開口部（スリット）に対応させて、垂直方向（ｙ方向）を長辺とする矩形状（帯状）の２Ｄ画像要素Ｖjk(p,q)に分割される。ここで、ｐは上記８視点（ＶＰ１〜ＶＰ８）に対応するインデックスであり、ｐ＝１〜８である。また、ｑは上記矩形状の２Ｄ画像要素の当該２Ｄ分割画像内の位置に対応するインデックスである。以下においては、３Ｄ表示要素Ｑjkに対応する２Ｄ分割画像Ｖjk(p)及び２Ｄ画像要素Ｖjk(p,q)について一般的に説明するが、説明及び理解の容易さのため、２Ｄ分割画像Ｖjk(p)については、Ｖ(p)と略記し、２Ｄ画像要素Ｖjk( p,q)（ｐ＝１〜８，ｑ＝１〜８）については、Ｖ(p,q)と略記して説明する。従って、Ｖ(p,q)は、ｐ番目の視点ＶＰｐから見た場合の２Ｄ分割画像Ｖ(p)における２Ｄ画像要素である。より具体的には、図７に示すように、例えば、ｐ番目の視点から見た場合の２Ｄ分割画像Ｖ(p)は、８つの２Ｄ画像要素Ｖ(p,1)〜Ｖ(p,8)から構成されている。
【００２７】
図８は、画像表示パネル１１及び表示制御パネル１２をｙ方向（すなわち、三次元表示装置１０を視る視聴者の上方）から見た図であり、当該視聴者（ユーザ）のそれぞれ最も右側及び左側の視点ＶＰ１及びＶＰ８と、ＶＰ４とから微小開口部（例えば、スリットＳ４）を介して見える２Ｄ画像要素について示している。なお、スリットＳ４のみが開口しており、それ以外のスリットは閉じている。
【００２８】
画像表示パネル１１の３Ｄ表示要素Ｑjkにおける２Ｄ表示要素Ｐｉ（１＝１〜８）には、２Ｄ画像要素Ｖ(i,i)が表示される。従って、視点ＶＰ４、ＶＰ１及びＶＰ８からは、それぞれ２Ｄ表示要素Ｐ４、Ｐ１、Ｐ８に表示された２Ｄ画像要素Ｖ(4,4)、Ｖ(1,1)、Ｖ(8,8)が見える。この状態においては、視る者には、両眼（左右）の視差により立体感が得られる。また、両眼視差に加え、視点を移動させることによっても立体感が得られ、運動視差も得られる。しかしながら、１の視点からは両眼視差による情報しか得られないので平面解像度は１／８と低い。
【００２９】
なお、スリットを介して見える画像は２Ｄ表示要素に表示される画像に対して点対称に１８０°反転した関係を有するため、予め反転した画像が２Ｄ表示要素に表示されるように画像表示パネル１１は駆動される。この場合、予め各２Ｄ画像要素が反転された３Ｄ画像データが三次元表示装置１０の入力端１４から入力される。あるいは、表示パネルコントローラ２５によって２Ｄ画像要素に対応した反転制御によってビデオＲＡＭ１８に書き込まれても良い。あるいは、ビデオＲＡＭ１８からの読み出しの際に表示パネルコントローラ２５によって反転制御がなされてもよい。
【００３０】
本実施例においては、高速で微小開口部のシャッタＳＨｉを順次切り換え、スリット開口位置を切り換え走査する（移動させる）とともに、当該開口部の走査に同期させて２Ｄ画像要素も更新させる。かかる動作について以下に説明する。
【００３１】
図９は、図８と同様な図であるが、視点ＶＰ４から３Ｄディスプレイ装置（画像表示パネル１１及び表示制御パネル１２）を見る場合について示している。ＳＨ４以外のシャッタは閉じられ、スリットＳ４のみが開口している。上記したように視点ＶＰ４に位置する視聴者からは、スリットＳ４を介して２Ｄ表示要素Ｐ４に表示された２Ｄ画像要素Ｖ(4,4)が見える。
【００３２】
次に、図１０に示すように、シャッタＳＨ５を開口し、ＳＨ５以外のシャッタを閉じた状態にする。すなわち、開口部の位置をＳ４からＳ５に移動させる。当該開口部の移動に同期させて２Ｄ画像要素を更新し、視点ＶＰ４から見える位置の２Ｄ表示要素Ｐ５に２Ｄ画像要素Ｖ(4,5)を表示させる。つまり、当該２Ｄ画像要素Ｖ(4,5)は、前回見えていた２Ｄ画像要素Ｖ(4,4)と同一の視点からの２Ｄ画像に対応する。
【００３３】
かかるスリット開口位置の切り換え（移動）及び２Ｄ画像要素の更新によって、視点ＶＰ４からは、２Ｄ画像要素Ｖ(4,4)、Ｖ(4,5)が見えることになる。上記した動作をスリット開口Ｓ１〜Ｓ８について順次行うことによって、視点ＶＰ４から８つの２Ｄ画像要素Ｖ(4,1)〜Ｖ(4,8)が見えることになる。この動作を眼の残像保持時間内に行うことにより、全体として２Ｄ分割画像Ｖ(4 )が見えることになる。同様にして、他の視点ＶＰ１〜３及びＶＰ５〜８から見える２Ｄ画像要素を更新することによって、両眼視差及び視点移動による立体感に加え、平面解像度も大きく（８倍に）改善される。
【００３４】
次に、本実施例における微小開口部（スリット）の制御方法について以下に説明する。
【００３５】
図１１は、本実施例における画像表示パネル１１及び表示制御パネル１２の動作を説明するためのブロック図である。表示パネルコントローラ（ＤＰコントローラ）２５には非表示判別器３１が設けられている。以下においては、当該非表示判別器３１が表示パネルコントローラ２５内にハードウエアの構成として設けられている場合について説明するが、ソフトウエアとして設けられていてもよい。また、非表示判別器３１は、表示パネルコントローラ２５内に代わり、制御パネルコントローラ２５Ａ内に設けられていてもよく、あるいは、これらコントローラ２５、２５Ａの外部に設けられていてもよい。
【００３６】
非表示判別器３１は、入力端１４から入力された画像データ信号（以下、ビデオデータ信号ともいう）ＶＳを受信し、画面表示を行わない状態、すなわち非表示であるか否かを判別する。上記非表示状態には、表示すべきデータが無く又はデータ値がゼロで画像表示パネル１１に全く表示を行わない場合、三次元表示装置１０の稼働を停止する（画像表示パネル１１又は表示装置１０の消灯、停止の）場合等を含み、非表示判別器３１は、これら種々の非表示モードの判別を行う。画像表示パネル１１又は表示装置１０の消灯、停止、あるいは三次元表示装置１０に全く表示を行わないことを示す信号ＮＤは、例えば、入力端１４からビデオデータ信号ＶＳに加えて供給される。あるいは、画像表示パネル１１又は表示装置１０の電源等（図示しない）からの電源シャットダウン信号ＰＳが表示パネルコントローラ２５に供給される。また、非表示判別器３１の判別結果は、制御パネルコントローラ２５Ａに供給される。
【００３７】
次に、実施例１における微小開口部（スリット）の制御動作について図１２に示すフローチャートを参照して説明する。まず、表示パネルコントローラ２５は、入力端１４から入力されたビデオデータ信号ＶＳを受信し、３Ｄ表示の開始を判別する（ステップＳ１１）。次に、当該ビデオデータ信号ＶＳに基づいて３Ｄ表示制御を実行し、３Ｄ表示を行う（ステップＳ１２）。
【００３８】
非表示判別器３１は、ビデオデータ信号ＶＳに基づいて、３Ｄ表示が終了し、画面表示を行わない表示停止状態であるか否かを判別する（ステップＳ１３）。つまり、非表示判別器３１は、この判別モードにおいて、一時的に表示を停止するか否かを判別する表示停止判別器として機能する。当該非表示判別器３１による表示停止状態の判別は、種々の適切なタイミングで行うようにすることができる。例えば、本フローチャートにおいては、非表示判別器３１による非表示状態の判別を、３Ｄ表示制御サブルーチン（ステップＳ１２）とは別のステップ（ステップＳ１３）として示したが、上記３Ｄ表示制御サブルーチン内において、３Ｄ表示制御をおこないつつ判別を行うようにしてもよい。
【００３９】
上記した判別タイミングの例として、１フレーム又は所定数のフレームごとに、又は３Ｄ表示実行中における割り込み処理として判別を行ってもよい。あるいは、入力ビデオデータ信号ＶＳがゼロでフレーム同期信号等が得られない場合には、同期信号等が得られなくなった時点から所定時間経過時等の適切なタイミングで行えばよい。
【００４０】
ステップＳ１３において表示停止状態ではないと判別された場合にはステップＳ１２に戻って３Ｄ表示を継続する。一方、ステップＳ１３において表示停止状態であると判別された場合には、制御パネルコントローラ２５Ａは全ての微小開口部（スリット）を閉じる（ステップＳ１４）。なお、画像表示パネル１１に表示を行わない場合は、表示制御パネル１２の微小開口部を開いている必要はなく、表示装置１０自体の表示終了状態でもある。
【００４１】
次に、画像表示パネル１１（又は表示装置１０）の消灯（シャットダウン）等による表示停止か否かが判別される（ステップＳ１５）。つまり、非表示判別器３１は、この判別モードにおいて、画像表示パネル１１の電源遮断を検出する検出器として機能する。上記したように、画像表示パネル１１のシャットダウンは、例えば電源シャットダウン信号ＰＳ等に基づいて検出される。
【００４２】
ステップＳ１５において、画像表示パネル１１のシャットダウンではないと判別された場合にはステップＳ１１に戻って３Ｄ表示の再開を待つ。他方、画像表示パネル１１をシャットダウンすると判別された場合には、全ての微小開口部（スリット）を閉じた状態で、表示装置１０の制御を終了する。
【００４３】
上記した構成、動作によって、表示装置１０の非使用（シャットダウン）時、表示停止時において外部光を遮断できる。従って、外部光が画像表示パネル１１に入射するのを回避し、画像表示パネル１１の焼き付きや紫外線等によるダメージを防止することができる。
【００４４】
なお、上記においては、一時的に表示を停止するか否かを判別する表示停止判別ステップ（ステップＳ１４）と、電源遮断を検出するステップ（ステップＳ１５）と、の双方を行う場合を例に説明したが、いずれか一方のみを行うようにしてもよい。例えば、電源遮断を検出して、表示制御パネル１２の全ての微小開口部（スリット）を閉じるようにするのみでも有効である。
【実施例２】
【００４５】
図１３は、本発明の実施例２における微小開口部の制御動作を示すフローチャートである。本実施例においては、非表示の２Ｄ表示要素ごとに、当該２Ｄ表示要素に対応する微小開口部を閉じる。以下に、詳細に説明する。  
【００４６】
まず、非表示判別器３１は、入力端１４から入力されたビデオデータ信号ＶＳからフレーム同期信号を取得する（ステップＳ２１）。次に、非表示判別器３１は、当該フレームデータに基づいて、画面表示における非表示部を確定する（ステップＳ２２）。より詳細には、非表示判別器３１は、図２に示す３Ｄ表示要素Ｑjk（ｊ＝１〜ｍ、ｋ＝１〜ｎ）における２Ｄ表示要素Ｐ１〜Ｐ８の各々に表示されるべき２Ｄ画像要素Ｖ(p,q)のデータがゼロ（すなわち、明るさがゼロ）であるか否かを判別する。すなわち、表示すべきデータの有無を２Ｄ表示要素ごとに判別する。
【００４７】
非表示判別器３１の判別結果は、制御パネルコントローラ２５Ａに供給される。制御パネルコントローラ２５Ａは、当該判別結果に基づいて非表示と判別された全ての２Ｄ表示要素に対応する微小開口部（スリット）のシャッタ（ＳＨｉ）を閉じた状態で、当該フレームの表示を実行する（ステップＳ２３）。
【００４８】
次に、表示を継続するか否かを判別する（ステップＳ２４）。表示を継続すると判別された場合は、ステップＳ２１に戻って上記した手順を繰り返す。表示を継続しない場合には、本ルーチンを終了する。  
【００４９】
かかる制御によって、２Ｄ表示要素ごとにより詳細に外部光を遮断できるので、より効果的に画像表示パネル１１のダメージを防止することができる。
【実施例３】
【００５０】
図１４は、本発明の実施例３における微小開口部の制御動作を示すフローチャートである。以下に、本フローチャートを参照して詳細に説明する。  
【００５１】
まず、非表示判別器３１は、入力端１４から入力されたビデオデータ信号ＶＳに基づいて画面表示のアスペクト比を判別する（ステップＳ３１）。当該アスペクト比は、ビデオデータ信号ＶＳに含まれたアスペクト比を指定する信号により判別する。あるいは、ビデオデータ信号ＶＳに含まれた垂直・水平同期信号等により判別してもよい。
【００５２】
次に、非表示判別器３１は、アスペクト比に基づいて、画面表示に非表示部（非表示領域）が有るか否かを判別する（ステップＳ３２）。非表示領域が無いと判別された場合には、後述するステップＳ３５に移行して表示を実行する。
【００５３】
非表示領域が有る場合には、非表示判別器３１は、さらに非表示領域を確定する（ステップＳ３３）。例えば、図１５に示すように、非表示判別器３１は、画像表示パネル１１の上部の非表示領域１１Ａ及び下部の非表示領域１１Ｂを確定する（例えば、４：３のアスペクト比の画像表示パネル１１に１６：９のアスペクト比の映像を表示させる、いわゆるレターボックス表示等の場合）。あるいは、非表示判別器３１は、図１６に示すように、画像表示パネル１１の左側の非表示領域１１Ｃ及び右側の非表示領域１１Ｄを確定する。
【００５４】
非表示判別器３１の判別結果は、制御パネルコントローラ２５Ａに供給される。制御パネルコントローラ２５Ａは、非表示判別器３１の判別結果に基づいて、当該非表示領域に対応する微小開口部を閉じる（ステップＳ３４）。制御パネルコントローラ２５Ａは、非表示領域に対応する微小開口部を閉じた状態で、表示領域について３Ｄ表示制御を実行する（ステップＳ３５）。
【００５５】
次に、非表示判別器３１は、一連の入力ビデオデータについての表示が終了か否かを判別する（ステップＳ３６）。例えば、映画、音楽ビデオ、スポーツなどの一連のビデオデータの表示が終了か否かを判別する。表示が終了していないと判別された場合は、ステップＳ３５に戻り、表示中の上記一連のデータに関して３Ｄ表示制御を継続する。当該入力ビデオデータについての表示が終了した場合には、表示制御パネル１２の全ての微小開口部を閉じる（ステップＳ３７）。
【００５６】
次に、画像表示パネル１１又は表示装置１０をシャットダウンするか否かが判別される（ステップＳ３８）。画像表示パネル１１のシャットダウンではないと判別された場合にはステップＳ３１に戻って次の入力ビデオデータについての表示の再開を待つ。他方、画像表示パネル１１をシャットダウンすると判別された場合には、全ての微小開口部（スリット）を閉じた状態で、表示制御パネル１２の制御を終了する。
【００５７】
かかる制御によって、アスペクト比の違いから映像を表示しない非表示領域に対しても外部光を遮断できるので、より効果的に画像表示パネル１１のダメージを防止することができる。
【００５８】
なお、上記した種々の実施例においては、２Ｄ表示要素Ｐｉを１次元（ｘ方向）に配した表示パネル、及び当該２Ｄ表示要素に対応する微小開口部（スリット）を制御パネルに設けた場合（図３）について説明したが、容易に２次元に配した場合に応用が可能である。例えば、表示パネルがｘ方向及びｙ方向に２Ｄ表示要素がマトリクス状に配された３Ｄ表示要素Ｑjkからなり、制御パネルが、当該２Ｄ表示要素に対応し、ｘ方向及びｙ方向に微小開口部（ピンホール等）がマトリクス状に配された３Ｄ制御要素Ｔjkからなる場合に容易に適用が可能である。
【００５９】
なお、上記した実施例は適宜組み合わせることができる。また、実施例中において示した数値は例示であって、適宜変更して適用することができる。
【図面の簡単な説明】
【００６０】
【図１】本発明の実施例１である三次元表示装置の構成を模式的に示すブロック図である。
【図２】画像表示パネル及び画像表示パネルの立体画像表示領域（３Ｄ表示要素）を模式的に示す図である。
【図３】画像表示パネルの３Ｄ表示要素Ｑjk、及び当該３Ｄ表示要素を構成する２Ｄ表示要素を模式的に示す図である。
【図４】表示制御パネルの構成を模式的に示す図であり、画像表示パネルも併せて示している。
【図５】図４に示す３Ｄ制御要素Ｔjkの詳細な構成を模式的に示す図である。
【図６】図５に示す３Ｄ制御要素Ｔjkの線Ｗ−Ｗに関する断面図である。
【図７】１つの３Ｄ画像を８つの２Ｄ画像で表示する場合における２Ｄ画像要素を模式的に示す図である。
【図８】画像表示パネル及び表示制御パネルをｙ方向（すなわち、三次元表示装置を視る視聴者の上方）から見た図であり、視点ＶＰ１及びＶＰ８と、ＶＰ４について示す図である。
【図９】図８と同様な図であり、視点ＶＰ４から３Ｄディスプレイ装置を見る場合について示している。
【図１０】図９に示す状態から開口部の位置をＳ４からＳ５に移動させるとともに、当該開口部の移動に同期させて２Ｄ画像要素を更新した場合を示す図である。
【図１１】実施例１における画像表示パネル及び表示制御パネルの動作を説明するためのブロック図である。
【図１２】実施例１における微小開口部（スリット）の制御動作について示すフローチャートである。
【図１３】実施例２における微小開口部の制御動作を示すフローチャートである。
【図１４】実施例３における微小開口部の制御動作を示すフローチャートである。
【図１５】画像表示パネルの上部の非表示領域及び下部の非表示領域を模式的に示す図である。
【図１６】画像表示パネルの左側の非表示領域及び右側の非表示領域を模式的に示す図である。
【符号の説明】
【００６１】
１０  三次元表示装置
１１  画像表示パネル
１２  表示制御パネル
１５  表示パネル・行ドライバ
１７  表示パネル・列ドライバ
１８、１８Ａ、１８Ｂ  ＲＡＭ
２１  制御パネル・行ドライバ
２３  制御パネル・列ドライバ
２５  表示パネルコントローラ
２５Ａ  制御パネルコントローラ
３１  非表示判別器
【図１】
2006145715.tif 000003
【図２】
2006145715.tif 000004
【図３】
2006145715.tif 000005
【図４】
2006145715.tif 000006
【図５】
2006145715.tif 000007
【図６】
2006145715.tif 000008
【図７】
2006145715.tif 000009
【図８】
2006145715.tif 000010
【図９】
2006145715.tif 000011
【図１０】
2006145715.tif 000012
【図１１】
2006145715.tif 000013
【図１２】
2006145715.tif 000014
【図１３】
2006145715.tif 000015
【図１４】
2006145715.tif 000016
【図１５】
2006145715.tif 000017
【図１６】
2006145715.tif 000018